(57)【要約】
【課題】  短時間で確実にコンタクトレンズの洗浄、消毒、殺菌を行い、その損傷を防ぎ、紫外線灯のみを簡単に交換できるコンタクトレンズのメインテナンス装置の提供。
【解決手段】  ケース本体１１の上層収納室１１１内にレンズ容器ユニット２０を設置し、上層収納室１１１の底部の固定孔に紫外線灯３１を取り付け、下層収納室内に設置した駆動ユニット３０に、紫外線灯３１を点灯させる電極ユニット、コイル３５、コンセントプラグ３３、及び動作表示ランプ３８を設け、レンズ容器ユニット２０内に、コイル３５の磁場発生により振動して低周波超音波を発する振動装置２１を設ける。
【選択図】          図１
0003100828.tif 000002
【実用新案登録請求の範囲】
【請求項１】
内部が上層収納室と下層収納室に区画されたケース本体と、該ケース本体の上面を閉鎖する開閉可能な蓋体と、前記上層収納室内に設置されたレンズ容器ユニットと、前記下層収納室内に設置された駆動ユニットとを備え、前記上層収納室の底部に前記下層収納室に通じる固定孔を形成し、前記上層収納室から前記固定孔に差し込んで着脱自在に取り付ける紫外線灯を、前記レンズ容器ユニットに隣接して設け、前記駆動ユニットに、前記紫外線灯を点灯させる電極ユニット、前記レンズ容器ユニットの下方に位置して磁場を発生するコイル、外部電源に接続可能で前記電極ユニット及びコイルに給電するコンセントプラグ、及び前記紫外線灯及びコイルが作動中であることを外部に表示する動作表示ランプを設け、前記レンズ容器ユニット内に、前記コイルの磁場発生により振動して低周波超音波を発する振動装置を設け、前記紫外線灯から照射される紫外線及び前記振動装置から発生する低周波超音波により、前記レンズ容器ユニット内のコンタクトレンズを洗浄、消毒、殺菌するコンタクトレンズのメインテナンス装置。
【請求項２】
前記蓋体の下方において、前記ケース本体の上部に中蓋をはめ込み、前記上層収納室の底部から、前記下層収納室に開口する中空柱を立設すると共に、該中空柱の上端に透孔を穿設し、前記中蓋の透孔と対応する位置に貫通部を形成し、前記駆動ユニットに、前記中空柱内に挿入される紫外線コントロールユニットを設け、該紫外線コントロールユニットの上端に、互いに感応し合って前記紫外線灯への通電整流回路を閉じる一対のセンサコントローラを設置し、前記蓋体の下面に、その開閉に伴い、前記貫通部及び透孔を通して前記一対のセンサコントローラ間に抜挿され、挿入時に該センサコントローラ間の感応状態を遮蔽するブラケットを設けた前記請求項１に記載のコンタクトレンズのメインテナンス装置。
【請求項３】
前記固定孔と紫外線灯との間に、該固定孔の周縁に密着するバネ座金を設けた請求項１又は２に記載のコンタクトレンズのメインテナンス装置。
【考案の詳細な説明】
【技術分野】
【０００１】
本考案は、コンタクトレンズの洗浄・消毒・殺菌を行うメインテナンス装置に関する。
【背景技術】
【０００２】
容器内に汚れたコンタクトレンズを収納し、水で洗浄すると共に、紫外線で消毒するコンタクトレンズの洗浄・消毒装置が知られている（特許文献１参照）。
しかし、この装置では、ボードから発生する振動周波数が偏りやすく、不安定である上、磁気によっては有効な水流を発生することができない。
また、容器の上蓋は二枚のバネにより開閉するため使用回数が多くなると弾力性が無くなる、表面が汚れると接触不良になる、紫外線灯が破損した際に上蓋全てを交換しなければならないなどの欠点がある。
【０００３】
【特許文献１】米国特許第５１４４１４４号明細書
【考案の開示】
【考案が解決しようとする課題】
【０００４】
本考案が解決しようとする課題は、紫外線と低周波超音波を利用して、短時間で確実にコンタクトレンズの洗浄、消毒、殺菌を行い、コンタクトレンズの表面が傷ついたり、孔が開くことを防ぎ、紫外線灯のみを簡単に交換できるコンタクトレンズのメインテナンス装置を提供することにある。
【課題を解決するための手段】
【０００５】
本考案のコンタクトレンズのメインテナンス装置は、内部が上層収納室と下層収納室に区画されたケース本体と、該ケース本体の上面を閉鎖する開閉可能な蓋体と、前記上層収納室内に設置されたレンズ容器ユニットと、前記下層収納室内に設置された駆動ユニットとを備え、前記上層収納室の底部に前記下層収納室に通じる固定孔を形成し、前記上層収納室から前記固定孔に差し込んで着脱自在に取り付ける紫外線灯を、前記レンズ容器ユニットに隣接して設け、前記駆動ユニットに、前記紫外線灯を点灯させる電極ユニット、前記レンズ容器ユニットの下方に位置して磁場を発生するコイル、外部電源に接続可能で前記電極ユニット及びコイルに給電するコンセントプラグ、及び前記紫外線灯及びコイルが作動中であることを外部に表示する動作表示ランプを設け、前記レンズ容器ユニット内に、前記コイルの磁場発生により振動して低周波超音波を発する振動装置を設け、前記紫外線灯から照射される紫外線及び前記振動装置から発生する低周波超音波により、前記レンズ容器ユニット内のコンタクトレンズを洗浄、消毒、殺菌する。
【０００６】
前記蓋体の下方において、前記ケース本体の上部に中蓋をはめ込み、前記上層収納室の底部から、前記下層収納室に開口する中空柱を立設すると共に、該中空柱の上端に透孔を穿設し、前記中蓋の透孔と対応する位置に貫通部を形成し、前記駆動ユニットに、前記中空柱内に挿入される紫外線コントロールユニットを設け、該紫外線コントロールユニットの上端に、互いに感応し合って前記紫外線灯への通電整流回路を開じる一対のセンサコントローラを設置し、前記蓋体の下面に、その開閉に伴い、前記貫通部及び透孔を通して前記一対のセンサコントローラ間に抜挿され、挿入時に該センサコントローラ間の感応状態を遮蔽するブラケットを設けても良い。
前記固定孔と紫外線灯との間に、該固定孔の周縁に密着するバネ座金を設けることもできる。
【考案の効果】
【０００７】
請求項１に係る考案によれば、紫外線灯から照射される紫外線と、コイルの磁場発生により振動装置から発生する低周波超音波とを利用して、レンズ容器ユニット内に収納されたコンタクトレンズを洗浄、消毒、殺菌するので、メインテナンスに要する時間が約１５分程度と大幅に短縮され、コンタクトレンズを確実に洗浄、殺菌することが可能で、その表面が傷ついたり、孔が開く心配もない。
また、紫外線灯が損傷した場合には、蓋体ごと取り替える必要が無く、紫外線灯のみを上方から簡単に交換することができるので、修理も容易であり、経済的な負担が少なくて済む。
【０００８】
請求項２に係る考案によれば、蓋体でケース本体の上面を覆っている時だけ紫外線灯が点灯し、蓋空を開けると自動的に紫外線灯が消えるので、肉眼で紫外線を直視することが無く、安全性が高い。
請求項３に係る考案によれば、レンズ容器ユニット内に収納された洗浄液等の液体が、上層収納室から固定孔を通して、駆動ユニットが設置された下層収納室へ流入するのを防止できる。
【考案を実施するための最良の形態】
【０００９】
本考案のコンタクトレンズのメインテナンス装置は、図１に示すように、ケース１０と、レンズ容器ユニット２０と、駆動ユニット３０とから成る。
ケース１０は、上面及び下面が開口したケース本体１１と、ケース本体１１の上面にはめ込まれた中蓋１２と、ケース本体１１の下面を閉鎖するよう嵌合された底蓋１３と、中蓋１２の上方に被せられた蓋体１４とを備える。
【００１０】
ケース本体１１は、図２に示すように、その高さ方向中間部に設置された隔壁によって、上層収納室１１１と下層収納室１１２とに区画される。
上層収納室１１１の底部一側には、レンズ容器ユニット２０の下面外周を固定する固定環１１３が設けられ、底部他側には下層収納室１１２に通じる固定孔１１４が形成される。
また、図３及び図４に示すように、ケース本体１１の周縁部には、上層収納室１１の底部から上方に向けて、上面が閉鎖されると共に、下面（下層収納室１１２側）が開口した中空柱１１５が突出され、中空柱１１５の上面に透孔１１６が穿設されている。
【００１１】
中蓋１２は、上層収納室１１１の上部にはめ込まれ、その一側においてケース本体１１の固定環１１３と対応する位置には、図１に示すように、レンズ容器ユニット２０の上部を支持する環状のフレーム１２１が形成され、他側は開閉自在な蓋部となっている。
また、中蓋１２の周縁部において、ケース本体１１の透孔１１６と対応する位置には貫通部１２２が形成されている。
蓋体１４は、中蓋１２の上方からケース本体１１に嵌合されて、ケース本体１１の上面を閉鎖する。
また、蓋体１４の下面には、中蓋１２の貫通部１２２を通して中空柱１５上面の透孔１１６へ挿入されるブラケット１４１が設けられ、ブラケット１４１の先端部はカバー１４２で被覆されている。
【００１２】
レンズ容器ユニット２０は、紫外線を透過する素材より成り、その内部に洗浄液が収納されるようになっている。
また、レンズ容器ユニット２０は、中蓋１２のフレーム１２１を通して上層収納室１１内へ挿入され、レンズ容器ユニット２０の下面がケース本体１１の固定環１１３により支持される。
さらに、レンズ容器ユニット２０の内部には、コンタクトレンズを洗浄液中に保持するレンズホルダ２２が設けられ、レンズ容器ユニット２０の底面には、振動装置２１が設置される。
【００１３】
駆動ユニット３０は、底蓋１４の上面に載置されて、ケース本体１１の下層収納室１１２内に組み込まれる。
駆動ユニット３０の上面には、図１に示すように、分流チップと集積回路とにより制御される回路を有する回路基板３２、コンセントプラグ３３、電極ユニット３４、コイル３５、コンデンサユニット３６、紫外線コントロールユニット３７及び動作表示ランプ３８が設けられる。
コンセントプラグ３３及び動作表示ランプ３８は、図２に示すように、ケース本体１１の外部に露出される。また、コンセントプラグ３３は外部電源へ接続可能であって、このコンセントプラグ３３を介して外部から駆動ユニット３０へ給電し、動作表示ランプ３８によって、駆動ユニット３０が作動中であることを外部に表示するようになっている。
【００１４】
電極ユニット３４は、プラス電極及びマイナス電極を有し、ケース本体１１の固定孔１１４の下方に配置される。そして、紫外線灯３１をレンズ容器ユニット２０に隣接するよう上層収納室１１１内に設置し、紫外線灯３１の下部を固定孔１１４へ挿入して電極ユニット３４に接続することにより、紫外線灯３１が点灯する。
なお、紫外線灯３１は、固定孔１１４の周縁に密着するバネ座金３１１を介して、固定孔１１４へ挿入されるので、レンズ容器ユニット２０から洗浄液がこぼれても、下層収納室１１２内に流入して駆動ユニット３０に達することはない。
コンデンサユニット３６は、電圧を瞬時に４０Ｖまで上昇させ、紫外線灯３１が点灯した後２０Ｖに下げるようになっている。この結果、紫外線灯３１が速やかに点灯し、点灯当初に最大強度で紫外線を照射して、完全に殺菌能力を発揮することができる。
【００１５】
紫外線コントロールユニット３７は、ケース本体１１の中空柱１１５内に設置され、その上端には、互いに感応し合って電極ユニット３４への通電整流回路を閉じる一対のセンサコントローラ３７１が対向するよう設けられる。また、これらセンサコントローラ３７１の間には、中蓋１２の貫通部１２２及びケース本体１１の透孔１１６と対応するスロット３７２が形成される。
コンセントプラグ３３から駆動ユニット３０に給電し、図３に示すように、蓋体１４をケース本体１１に被せると、ブラケット１４１が中蓋１２の貫通部１２２及びケース本体１１の透孔１１６を通してスロット３７２に差し込まれる。すると、一対のセンサコントローラ３７１の感応状態が遮蔽され、駆動ユニット３０は通電整流回路を駆動させて、紫外線灯３１が点灯する。
一方、図４に示すように、蓋体１４を外すと、ブラケット１４１がスロット３７２から離脱する。すると、センサコントローラ３７１がお互いに感応し合って、駆動ユニット３０は電極ユニット３４への通電整流回路を閉じ、この結果、紫外線灯３１が消灯する。従って、蓋体１４を開けたときに、肉眼で紫外線灯３１から発する紫外線を直視する心配がない。
【００１６】
コンタクトレンズを手入れする際には、レンズ容器ユニット２０内のレンズホルダ２２でコンタクトレンズを保持すると共に、レンズ容器ユニット２０の内部に洗浄液を注入し、これを中蓋１２のフレーム１２１を通して、ケース本体１１の上層収納室１１１内に設置する。
次いで、ケース本体１１に蓋体１４を被せ、コンセントプラグ３３と外部電源とを接続する。
すると、紫外線灯３１が点灯して隣接するレンズ容器ユニット２０に紫外線が照射され、また、コイル３５から磁場が発生してレンズ容器ユニット２０内の振動装置２１が振動し、低周波超音波が発生し、水流が生まれる。
この結果、レンズ容器ユニット２０内のコンタクトレンズは、紫外線で殺菌されると共に、低周波超音波により洗浄、消毒、殺菌される。
【００１７】
もし、紫外線灯３１が破損した場合には、中蓋１２を開いて上層収納室１１１側から簡単に新しいものに交換することができる。
また、回路基板３２の回路は、分流チップで制御され、電源が入ると直ちに駆動し、作業中には通電状態を適宜遮断することにより、正常な電圧・電流を維持するようになっているので、装置の温度は７０℃〜７８℃に保たれて異常な高温になることがない。
さらに、回路基板３２の回路は集積回路でコントロールされて、周波数が不安定となったり、時間がずれるなどの問題は発生しない。
また、コイル３５のインダクタンスは２９５〜３００ｕＨ程度で、強力な磁場が発生し、レンズ容器ユニット２０内には強力な水流が生まれる。
【図面の簡単な説明】
【００１８】
【図１】本考案の実施例を示すコンタクトレンズのメインテナンス装置の分解斜視図。
【図２】同上の中央部断面図。
【図３】同上の蓋体取付時の周縁部断面図。
【図４】同上の蓋体開放時の周縁部断面図。
【符号の説明】
【００１９】
１０  ケース
１１  ケース本体
１１１  上層収納室
１１２  下層収納室
１１３  固定環
１１４  固定孔
１１５  中空柱
１１６  透孔
１２  中蓋
１２１  フレーム
１２２  貫通部
１３  底蓋
１４  蓋体
１４１  ブラケット
１４２  カバー
２０  レンズ容器ユニット
２１  振動装置
２２  レンズホルダ
３０  駆動ユニット
３１  紫外線灯
３１１  バネ座金
３２  回路基板
３３  コンセントプラグ
３４  電極ユニット
３５  コイル
３６  コンデンサユニット
３７  紫外線コントロールユニット
３７１  センサコントローラ
３７２  スロット
３８  動作表示ランプ
【図１】
0003100828.tif 000003
【図２】
0003100828.tif 000004
【図３】
0003100828.tif 000005
【図４】
0003100828.tif 000006